(57)【要約】      （修正有）【課題】小型で、機器を汚すことなく、早い時点に補修や交換の処置の必要ないドレントラップ、ドレン水の排出方法を提供する。【解決手段】ストレーナを構成している金網の内部に異物が保持されるようにし、移動コア１０７とその上部の固定コア１０９ｒの外周に位置しているコイル１１０に通電することで、固定コア１０９ｒの方に磁力によって引き付けられながら上昇させて上部スプリング１０８を圧縮させながら、移動コア１０７を密着させ、それによって下部スプリング１０３の力で弁体１０４を押し上げて、弁本体１０４ｒを弁座１０１ｅに密着させ、流体の流れを止めている。【選択図】図３
2010071460.tif 000002
【特許請求の範囲】
【請求項１】
ドレントラップ入口（２０１ａ）を形成したストレーナ（２００）とドレントラップ出口（１０１ｇ）を形成した電磁弁（１００）から構成され、前記電磁弁（１００）を形成している電磁弁入口（１０１ａ）と前記ドレントラップ出口（１０１ｇ）である電磁弁出口（１０１ｇ）の流れの方向が同じで直線上に位置し、前記ストレーナ（２００）を構成している金網（２０３）の内部に異物が保持されるようにしたドレン水の排出方法に於いて、
本体（１０１）に形成された電磁弁入口（１０１ａ）から弁室（１０１ｄ）と弁座（１０１ｅ）を経由して電磁弁出口（１０１ｇ）に流体を流すことが出来る中で、
前記本体（１０１）とその上部で一体に構成されているバルブカバー（１０９）との間の上部スプリング（１０８）とその下部の移動コア（１０７）のうち、
前記移動コア（１０７）と、前記バルブカバー（１０９）の一部としてその上部に一体に形成されている固定コア（１０９ｒ）の、両者の外周に位置しているコイル（１１０）に通電することで、
前記固定コア（１０９ｒ）の方に磁力によって引き付けられながら上昇させて前記上部スプリング（１０８）を圧縮させながら、前記移動コア（１０７）を密着させ、
前記本体（１０１）とその下部で一体に構成されているストッパーナット（１０２）との間の弁体（１０４）とその下部の下部スプリング（１０３）のうち、
前記下部スプリング（１０３）の力で前記弁体（１０４）を押し上げて、
前記弁体（１０４）に一体に形成されている弁本体（１０４ｒ）を前記弁座（１０１ｅ）に密着させ、流体の流れを止めることを特徴とするドレン水の排出方法。
【請求項２】
前記コイル（１１０）に非通電とすることで、
前記移動コア（１０７）と前記固定コア（１０９ｒ）の密着を離間させ、
前記移動コア（１０７）と前記バルブカバー（１０９）の間に位置している前記上部スプリング（１０８）の力で前記移動コア（１０７）を押し下げて、
一方前記移動コア（１０７）の下部に一体に形成されていて前記本体（１０１）を上下の方向に貫通している押し棒（１０７ｓ）が前記弁体（１０４）を押し、
それによって前記弁本体（１０４ｒ）が前記弁座（１０１ｅ）からの密着を離間させ、流体を流すことを特徴とする請求項１に記載のドレン水の排出方法。
【請求項３】
前記押し棒（１０７ｓ）は、前記弁本体（１０４ｒ）の周囲を複数箇所で押せるように設けたものであることを特徴とする請求項２に記載のドレン水の排出方法。
【請求項４】
ドレントラップ入口（２０１ａ）を形成したストレーナ（２００）とドレントラップ出口（１０１ｇ）を形成した電磁弁（１００）から構成され、前記電磁弁（１００）を形成している電磁弁入口（１０１ａ）と前記ドレントラップ出口（１０１ｇ）である電磁弁出口（１０１ｇ）の流れの方向が同じで直線上に位置し、前記ストレーナ（２００）を構成している金網（２０３）の内部に異物が保持されるようにしたドレントラップに於いて、
記載の順に流体を流すことが出来る、電磁弁入口（１０１ａ）及び弁室（１０１ｄ）の一部及び弁座（１０１ｅ）及び電磁弁出口（１０１ｇ）を形成した本体（１０１）と、
前記本体（１０１）の下部に一体に構成されることでその間に前記弁室（１０１ｄ）を成すストッパーナット（１０２）と、
前記弁室（１０１ｄ）内に在って上端部の弁本体（１０４ｒ）と弁保持部（１０４ｓ）を一体に形成した弁体（１０４）と、
前記弁室（１０１ｄ）内に在って前記弁体（１０４）と前記ストッパーナット（１０２）の間に位置している下部スプリング（１０３）と、
前記本体（１０１）の上部に一体に構成されることでその間に移動コア作動空間（１０１ｂ）を成す固定コア（１０９ｒ）とパイプ（１０９ｓ）とグランドナット（１０９ｔ）を一体に形成したバルブカバー（１０９）と、
前記移動コア作動空間（１０１ｂ）内に在って移動コア本体（１０７ｒ）と下端部の押し棒（１０７ｓ）を一体に形成した移動コア（１０７）と、
前記移動コア作動空間（１０１ｂ）内に在って前記移動コア（１０７）と前記バルブカバー（１０９）の間に位置している上部スプリング（１０８）と、
通電時には前記移動コア（１０７）を前記固定コア（１０９ｒ）に磁力によって密着させ、非通電時には前記移動コア（１０７）と前記固定コア（１０９ｒ）との密着を離間させ、前記移動コア（１０７）と前記固定コア（１０９ｒ）の外周を囲むように位置しているコイル（１１０）のうちのこれ等を、
上下に位置するように構成し、
通電時には、前記移動コア（１０７）が前記固定コア（１０９ｒ）の方に磁力によって引き付けられながら上昇することで、前記本体（１０１）に形成されている貫通穴（１０１ｃ）を貫通している前記移動コア（１０７）下端部の前記押し棒（１０７ｓ）が前記弁体（１０４）から離間し、結果として前記下部スプリング（１０３）の力で前記弁本体（１０４ｒ）を前記弁座（１０１ｅ）に密着させ、流体の流れを止め、
非通電時には、磁力が働かなくなることと、前記移動コア（１０７）と前記固定コア（１０９ｒ）の間に位置している前記上部スプリング（１０８）の力によって、前記移動コア（１０７）下端部の前記押し棒（１０７ｓ）を下降することで、前記移動コア（１０７）下端部の前記押し棒（１０７ｓ）が前記弁体（１０４）を押し、結果として前記弁本体（１０４ｒ）を前記弁座（１０１ｅ）から離間させ、流体を流すようにしたことを特徴とするドレントラップ。
【請求項５】
前記金網（２０３）は、少なくとも一端が開放されたものであり、その開放された一端を前記ドレントラップ入口（２０１ａ）に対面させることで流入しようとするドレントラップ入口ドレン水（５１）を前記金網（２０３）に流入可能にし、他端の側を取外し自由なストレーナキャップ（２０２）で固定すると同時に奥当りにすることでそれ以上流れることを不能にし、従って前記金網（２０３）を経由して前記ドレントラップ入口ドレン水（５１）が前記ドレントラップ出口（１０１ｇ）より排出可能に構成していることを特徴とする請求項４に記載のドレントラップ。
【請求項６】
前記ストレーナ（２００）は前記電磁弁（１００）の側面に一体に位置していることを特徴とする請求項４または請求項５に記載のドレントラップ。
【請求項７】
前記ドレントラップ入口（２０１ａ）と前記ドレントラップ出口（１０１ｇ）が９０度の位置関係にあることを特徴とする請求項４ないし請求項６の何れか１項に記載のドレントラップ。
【請求項８】
前記ストレーナ（２００）を形成している前記ドレントラップ入口（２０１ａ）とストレーナ出口（１０１ａ）が９０度の位置関係にあることを特徴とする請求項４ないし請求項７の何れか１項に記載のドレントラップ。
【発明の詳細な説明】
【技術分野】
【０００１】  本発明は、ドレン水の排出方法およびドレントラップに関する技術であって、更に詳細に述べるならば、コンプレッサによって作り出された圧縮空気を貯留しているエアータンクの下部・・・等、比較的狭い場所に設置しているドレン水の排出方法およびドレントラップに関して、どの様な構造にしたら作動不良に際して容易に内部の洗浄や金網の交換が出来るか、またどの様にしたら排出するドレン水が周囲の機器を汚さないように出来るか、加えて電磁弁を通電することで流体の流れを止め、電磁弁を非通電とすることで流体を流すのに際して早い時点に磨耗等の不具合が発生しないような、これらの具体的な方策について述べたものである。
【背景技術】
【０００２】  従来、ドレン水の排出方法およびドレントラップに関する技術としては、ドレン水の排出装置のストレーナを構成しているストレーナエレメント（本発明の、金網に相当するもの）の洗浄や交換することに配慮して、ストレーナを縦向きに位置させることで、ストレーナの配管を容易にしたのが見られるし、電磁弁の通電や非通電に関する技術としては、本願発明と非常に類似している技術を見ることが出来る（例えば、特許文献１、特許文献２参照）。【０００３】  この場合、電磁弁２０とストレーナ４０より構成されたドレントラップがあり、ストレーナ４０は、流体の入口４９ａと出口４９ｂと入口４９ａに連通しているボディの流路４９ｃを形成したストレーナボディ４９と、センターボルトの流路４６ａを形成したセンターボルト４６と、ストレーナエレメント４５より構成され、入口４９ａとストレーナエレメント４５とセンターボルト４６と出口４９ｂとの間にストレーナ４０全体としての流路を形成し、ストレーナボディ４９を下側に位置させた、即ちストレーナを縦向きにした内容のものであった。
【特許文献１】特許第３００３０９３号
【０００４】  また、特許文献２には、本願発明の構成と作動は非常に類似していて、横の方向に作動する電磁弁に相当する技術が記載されている。
【特許文献２】実開平５−３７９３
【発明の開示】
【発明が解決しようとする課題】
【０００５】  しかしながら、このような従来のドレン水の排出方法およびドレントラップに関しては以下に示すような課題があった。【０００６】  先ず、ドレントラップでドレン水を排出するのに際して、ドレントラップに形成しているドレントラップ入口とドレントラップ出口が同一直線上に位置していた為に、全体の大きさを含めて配置する位置が限定され排出したドレン水が近くの機器を汚すことがあり、排出ホースを設ける等の何等かの配慮を必要とする場合が多かった。【０００７】  また、ストレーナによってドレン水に含まれた各種の異物を捕捉していたがストレーナエレメントとストレーナキャップとストレーナボディの間に異物を保持する構成であった為に、ストレーナエレメントの交換や清掃に際して異物を常に除去する配慮が必要であった。【０００８】  更に、ドレントラップというものは、エアータンクの下部等比較的狭い場所に設置していることが多く、常に小型であることを要求されていた。【０００９】  加えて、横の方向に作動する従来の電磁弁に相当する技術に関しては、バルブカバー内を移動コアが作動することを含め、移動コア本体と一体に形成されている下端部の押し棒が、本体に形成された貫通穴との間にかなりの隙間を確保して貫通しているのであるが、ある程度の期間を使用している間に、馴染や磨耗によって、バルブカバーと移動コアの間の隙間と併せ、押し棒が貫通穴の側面に接するようになり、それなりに、補修や交換の処置を行う必要に迫られることが問題となっていた。
【課題を解決するための手段】
【００１０】  本発明は、ドレントラップ入口２０１ａを形成したストレーナ２００とドレントラップ出口１０１ｇを形成した電磁弁１００から構成され、前記電磁弁１００を形成している電磁弁入口１０１ａと前記ドレントラップ出口１０１ｇである電磁弁出口１０１ｇの流れの方向が同じで直線上に位置し、前記ストレーナ２００を構成している金網２０３の内部に異物が保持されるようにしたドレン水の排出方法に於いて、本体１０１に形成された電磁弁入口１０１ａから弁室１０１ｄと弁座１０１ｅを経由して電磁弁出口１０１ｇに流体を流すことが出来る中で、前記本体１０１とその上部で一体に構成されているバルブカバー１０９との間の上部スプリング１０８とその下部の移動コア１０７のうち、前記移動コア１０７と、前記バルブカバー１０９の一部としてその上部に一体に形成されている固定コア１０９ｒの、両者の外周に位置しているコイル１１０に通電することで、前記固定コア１０９ｒの方に磁力によって引き付けられながら上昇させて前記上部スプリング１０８を圧縮させながら、前記移動コア１０７を密着させ、前記本体１０１とその下部で一体に構成されているストッパーナット１０２との間の弁体１０４とその下部の下部スプリング１０３のうち、前記下部スプリング１０３の力で前記弁体１０４を押し上げて、前記弁体１０４に一体に形成されている弁本体１０４ｒを前記弁座１０１ｅに密着させ、流体の流れを止めることを特徴とし、更には、前記コイル１１０に非通電とすることで、前記移動コア１０７と前記固定コア１０９ｒの密着を離間させ、前記移動コア１０７と前記バルブカバー１０９の間に位置している前記上部スプリング１０８の力で前記移動コア１０７を押し下げて、一方前記移動コア１０７の下部に一体に形成されていて前記本体１０１を上下の方向に貫通している押し棒１０７ｓが前記弁体１０４を押し、それによって前記弁本体１０４ｒが前記弁座１０１ｅからの密着を離間させ、流体を流すことを特徴とし、更には、前記押し棒１０７ｓは、前記弁本体１０４ｒの周囲を複数箇所で押せるように設けたものであることを特徴とすることによって、上記課題を解決したのである。【００１１】  また、本発明は、ドレントラップ入口２０１ａを形成したストレーナ２００とドレントラップ出口１０１ｇを形成した電磁弁１００から構成され、前記電磁弁１００を形成している電磁弁入口１０１ａと前記ドレントラップ出口１０１ｇである電磁弁出口１０１ｇの流れの方向が同じで直線上に位置し、前記ストレーナ２００を構成している金網２０３の内部に異物が保持されるようにしたドレントラップに於いて、記載の順に流体を流すことが出来る、電磁弁入口１０１ａ及び弁室１０１ｄの一部及び弁座１０１ｅ及び電磁弁出口１０１ｇを形成した本体１０１と、前記本体１０１の下部に一体に構成されることでその間に前記弁室１０１ｄを成すストッパーナット１０２と、前記弁室１０１ｄ内に在って上端部の弁本体１０４ｒと弁保持部１０４ｓを一体に形成した弁体１０４と、前記弁室１０１ｄ内に在って前記弁体１０４と前記ストッパーナット１０２の間に位置している下部スプリング１０３と、前記本体１０１の上部に一体に構成されることでその間に移動コア作��空間１０１ｂを成す固定コア１０９ｒとパイプ１０９ｓとグランドナット１０９ｔを一体に形成したバルブカバー１０９と、前記移動コア作動空間１０１ｂ内に在って移動コア本体１０７ｒと下端部の押し棒１０７ｓを一体に形成した移動コア１０７と、前記移動コア作動空間１０１ｂ内に在って前記移動コア１０７と前記バルブカバー１０９の間に位置している上部スプリング１０８と、通電時には前記移動コア１０７を前記固定コア１０９ｒに磁力によって密着させ、非通電時には前記移動コア１０７と前記固定コア１０９ｒとの密着を離間させ、前記移動コア１０７と前記固定コア１０９ｒの外周を囲むように位置しているコイル１１０のうちのこれ等を、上下に位置するように構成し、通電時には、前記移動コア１０７が前記固定コア１０９ｒの方に磁力によって引き付けられながら上昇することで、前記本体１０１に形成されている貫通穴１０１ｃを貫通している前記移動コア１０７下端部の前記押し棒１０７ｓが前記弁体１０４から離間し、結果として前記下部スプリング１０３の力で前記弁本体１０４ｒを前記弁座１０１ｅに密着させ、流体の流れを止め、非通電時には、磁力が働かなくなることと、前記移動コア１０７と前記固定コア１０９ｒの間に位置している前記上部スプリング１０８の力によって、前記移動コア１０７下端部の前記押し棒１０７ｓを下降することで、前記移動コア１０７下端部の前記押し棒１０７ｓが前記弁体１０４を押し、結果として前記弁本体１０４ｒを前記弁座１０１ｅから離間させ、流体を流すようにしたことを特徴とし、更には、前記金網２０３は、少なくとも一端が開放されたものであり、その開放された一端を前記ドレントラップ入口２０１ａに対面させることで流入しようとするドレントラップ入口ドレン水５１を前記金網２０３に流入可能にし、他端の側を取外し自由なストレーナキャップ２０２で固定すると同時に奥当りにすることでそれ以上流れることを不能にし、従って前記金網２０３を経由して前記ドレントラップ入口ドレン水５１が前記ドレントラップ出口１０１ｇより排出可能に構成していることを特徴とし、更には、前記ストレーナ２００は前記電磁弁１００の側面に一体に位置していることを特徴とし、更には、前記ドレントラップ入口２０１ａと前記ドレントラップ出口１０１ｇが９０度の位置関係にあることを特徴とし、更には、前記ストレーナ２００を形成している前記ドレントラップ入口２０１ａとストレーナ出口１０１ａが９０度の位置関係にあることを特徴とすることによって、上記課題を解決したのである。
【発明の効果】
【００１２】  以上の説明から明らかなように、本発明によって、以下に示すような効果をあげることが出来る。【００１３】  第一に、ドレントラップ入口を形成したストレーナとドレントラップ出口を形成した電磁弁から構成され、電磁弁を形成している電磁弁入口とドレントラップ出口である電磁弁出口の流れの方向が同じで直線上に位置し、ストレーナを構成している金網の内部に異物が保持されるようにしたドレントラップに於いて、記載の順に流体を流すことが出来る、電磁弁入口及び弁室の一部及び弁座及び電磁弁出口を形成した本体と、本体の下部に一体に構成されることでその間に弁室を成すストッパーナットと、弁室内に在って上端部の弁本体と弁保持部を一体に形成した弁体と、弁室内に在って弁体とストッパーナットの間に位置している下部スプリングと、本体の上部に一体に構成されることでその間に移動コア作動空間を成す固定コアとパイプとグランドナットを一体に形成したバルブカバーと、移動コア作動空間内に在って移動コア本体と下端部の押し棒を一体に形成した移動コアと、移動コア作動空間内に在って移動コアとバルブカバーの間に位置している上部スプリングと、通電時には移動コアを固定コアに磁力によって密着させ、非通電時には移動コアと固定コアとの密着を離間させ、移動コアと固定コアの外周を囲むように位置しているコイルのうちのこれ等を、上下に位置するように構成し、通電時には、移動コアが固定コアの方に磁力によって引き付けられながら上昇することで、本体に形成されている貫通穴を貫通している移動コア下端部の押し棒が弁体から離間し、結果として下部スプリングの力で弁本体を弁座に密着させ、流体の流れを止め、非通電時には、磁力が働かなくなることと、移動コアと固定コアの間に位置している上部スプリングの力によって、移動コア下端部の押し棒を下降することで、移動コア下端部の押し棒が弁体を押し、結果として弁本体を弁座から離間させ、流体を流すようにしたことで、金網を取り出すだけで金網の内部に溜まった異物を取り出すことが可能となり、更に本願発明のドレントラップが上下方向に作動させるようにしたことで、ある程度の期間を使用しても押し棒が貫通穴の側面に接するということは防止され、使用という面で非常に配慮された、早い時点に補修や交換の処置を行う必要に迫られるようなことが不用となった。【００１４】  第二に、金網は、少なくとも一端が開放されたものであり、その開放された一端をドレントラップ入口に対面させることで流入しようとするドレントラップ入口ドレン水を金網に流入可能にし、他端の側を取外し自由なストレーナキャップで固定すると同時に奥当りにすることでそれ以上流れることを不能にし、従って金網を経由してドレントラップ入口ドレン水がドレントラップ出口より排出可能に構成したことで、ストレーナキャップと共に金網を取り出すだけで金網の内部に溜まった各種の異物を用意に取り出すことが可能となった。【００１５】  第三に、ストレーナは電磁弁の側面に一体に位置していることで、小型のドレントラップが可能となった。【００１６】  第四に、ドレントラップ入口とドレントラップ出口が９０度の位置関係にあることで、エアータンク等の機器正面（一般的��、作業者が位置している方向）にドレン水を排出させることが可能となり、排出ホース等を配慮したり近くに位置している機器を汚すという不具合は解消された。【００１７】  第五に、ストレーナを形成しているドレントラップ入口とストレーナ出口が９０度の位置関係にあることで、小型のドレントラップが可能となった。
【発明を実施するための最良の形態】
【００１８】  以下、本発明の実施の形態を図面と共に詳細に説明する。
ここで、図１は、本発明であるドレントラップの正面図であり、図２は、本発明であるドレントラップの側面図であり、図３は、本発明の一部である電磁弁の断面図であり、図４は、本発明の一部であるストレーナの断面図である。【００１９】  先ず、図１と図２に見られる様に、１０はドレントラップであり、エアーコンプレッサによって作り出された圧縮空気より発生したドレン水に含まれている異物を分離するストレーナ２００と電磁石の働きによってドレン水を通過させ遮断し開閉弁の役目をする電磁弁１００を構成している。【００２０】  ここで、ストレーナ２００が異物を分離する目的は、図１と図２に具体的に示していないが、図３に見られるように、電磁弁１００には弁座１０１ｅや貫通穴１０１ｃや押し棒１０７ｓ等の狭い部分を構成していて、その弁座１０１ｅや貫通穴１０１ｃや押し棒１０７ｓ等に異物が噛みこむことによって作動不良を起こす可能性が有り、この作動不良を防止する為に設けたものである。【００２１】  ところで、電磁弁１００に関しては、図３に見られる様に、本体１０１には、圧縮空気やドレン水の混在した圧力流体を流入させる電磁弁入口１０１ａが設けてある。そして、電磁弁入口１０１ａからは、移動コア１０７が上下する移動コア作動空間１０１ｂと、後に説明する押し棒１０７ｓが貫通して上下する貫通穴１０１ｃと、弁体１０４が上下する弁室１０１ｄと、弁本体１０４ｒが密着したり、密着を離間させることで、液体を流したり閉鎖する弁座１０１ｅと、流体通路１０１ｆを経由して、電磁弁出口１０１ｇに圧力流体が流れるようになっている。【００２２】  尚、弁室１０１ｄは断面の形状が円形であり、上部で弁座１０１ｅに繋がっている。  そして、弁室１０１ｄには弁体１０４が収納されており、弁座１０１ｅに向かって進退自在となっている。  この場合、弁体１０４は、上端部の弁本体１０４ｒとそれを保持している弁保持部１０４ｓによって一体に形成されていて、合金製の弁保持部１０４ｓの中心孔に合成樹脂製の弁本体１０４ｒを圧入したものが考えられる。  但し、弁体１０４は、一体物であっても構わない。  また、本体１０１の下部には、Ｏリング１０５を介して螺合によって結合可能なストッパーナット１０２を一体に構成することで、その間に弁室１０１ｄを成していると言える。  この場合、Ｏリング１０５は、弁室１０１ｄ内の圧力流体が外部に洩れることを防止するために設けているのである。【００２３】  従って、弁室１０１ｄには、弁体１０４と、最下部のストッパーナット１０２に接して下部スプリング１０３を収納させることで、下部スプリング１０３のバネ力によって、ある時点に於いては弁体１０４として一体に形成している弁本体１０４ｒを弁座１０１ｅに向って押し付けるようになっているのである。  この場合、ある時点とは、圧縮機を回転させるモータのスイッチを作動させている時であり、即ち後に述べるコイル１１０に通電させている時である。【００２４】  一方、上下の方向に位置している本体１０１に形成されている弁座１０１ｅと反対側の上部には、本体１０１とバルブカバー１０９が一体に構成されることで移動コア作動空間１０１ｂを成している。  この場合、バルブカバー１０９は、溶接や���付け等によって、固定コア１０９ｒとパイプ１０９ｓとグランドナット１０９ｔが一体に形成されていて、最下部のグランドナット１０９ｔの部分で本体１０１の上部と螺合によって結合することで一体に構成しているのである。  当然のことながら、本体１０１とバルブカバー１０９の間には、Ｏリング１０６が位置していて、移動コア作動空間１０１ｂ内の圧力流体が外部に洩れないように配慮している。【００２５】  そして、移動コア作動空間１０１ｂには、移動コア１０７と共に、最上部のバルブカバー１０９として一体に形成している固定コア１０９ｒに接した状態で上部スプリング１０８を収納させることで、上部スプリング１０８のバネ力によって移動コア１０７を下側に移動させることが出来るようになっている。  尚、固定コア１０９ｒの下部の内面にはシュディングコイル１１５が埋め込まれている。【００２６】  ところで、移動コア１０７は、移動コア本体１０７ｒと押し棒１０７ｓによって一体に形成されている。  そして、押し棒１０７ｓは移動コア本体１０７ｒの下部にネジ込むことによって接続し、ネジ部やその周囲を接着剤で固定することで離脱を防止しているのである。【００２７】  尚、後に述べるコイル１１０に電気が流れることを遮断する非通電の状況に於いては、押し棒１０７ｓは、上部スプリング１０８のバネ力によって移動コア１０７を下側に移動する際に、本体１０１に形成された貫通穴１０１ｃを貫通しながら下降し、弁室１０１ｄに突出することで弁体１０４の上部を押すことが出来るようになっている。  この事によって、弁本体１０４ｒが弁座１０１ｅに密着しているのを離脱させるようになっているのである。  従って、弁室１０１ｄ内の圧力流体は、弁座１０１ｅより流体通路１０１ｆを経由して電磁弁出口１０１ｇより流出するのである。【００２８】  一方、通電の状況に於いては、固定コア１０９ｒに磁力が発生することで、移動コア１０７が引き付けられながら上昇し、それと共に押し棒１０７ｓが貫通穴１０１ｃに収納され、下部スプリング１０３のバネ力によって弁本体１０４ｒが弁座１０１ｅに密着するようになるのである。  従って、弁室１０１ｄ内の圧力流体は、弁座１０１ｅで遮断され流出するのを停止させられる。【００２９】  この様にして、本体１０１には、弁座１０１ｅの傍で、押し棒１０７ｓが弁体１０４を押すことが出来るように貫通穴１０１ｃが形成されているのである。  この場合、貫通穴１０１ｃには、ゆるい状態で押し棒１０７ｓが嵌合している。  即ち、貫通穴１０１ｃと押し棒１０７ｓは、比較的大きく隙間があけられており、弁座１０１ｅの周囲をほぼ等配して複数箇所に設けてある。  この様な状況から、１８０度の間隔で２箇所、１２０度の間隔で３箇所、９０度の間隔で４箇所等が考えられるが、１箇所ということも否定することは出来ない。【００３０】  この場合、図３に於いては、電磁弁入口１０１ａから移動コア作動空間１０１ｂに流入した圧力流体が、貫通穴１０１ｃと押し棒１０７ｓの間の隙間を通って弁室１０１ｄに向って流れているのである。一方、電磁弁入口１０１ａからの圧力流体の流れに関しては、電磁弁入口１０１ａから弁室１０１ｄに直接流入させて弁座１０１ｅに向わせることも可能���あり、貫通穴１０１ｃと移動コア作動空間１０１ｂについては、電磁弁入口１０１ａから電磁弁出口１０１ｇに至る流路の一部に組み込むということではなく、一部の圧力流体が流れ込むことが出来るという状態にしても構わない。【００３１】  更に、移動コア１０７と固定コア１０９ｒの外周を囲むようにして、通電することによって磁力を発生することが出来るコイル１１０を位置させ、固定コア１０９ｒを形成しているバルブカバー１０９と一体に構成している。  ここで、コイル１１０は、ボビン１１３に収納されていて、ドーナツ状に形成されているのである。  そして、バルブカバー１０９の外側には、バルブカバー１０９として固定コア１０９ｒとパイプ１０９ｓとグランドナット１０９ｔを一体に形成している中で、下部に位置しているグランドナット１０９ｔの上部のパイプ１０９ｓに沿って、中央部がくり抜かれたドーナツ状のリングコア下１１１と、ボビン１１３に収納されたコイル１１０と、ドーナツ状のリングコア上１１２と、コイル１１０を覆うコイルケース１１４を記載の順に下部から上部に位置させ、最上部に於いてロックナット１１６によってバルブカバー１０９の固定コア１０９ｒの部分で螺合によって結合させることによって、これ等を一体に構成しているのである。【００３２】  その結果、コイル１１０の働きによって、通電時には、上部スプリング１０８を圧縮させながら移動コア１０７を固定コア１０９ｒに磁力によって密着させ、非通電時には、上部スプリング１０８のバネ力によって移動コア１０７と固定コア１０９ｒとの密着を離間させているのである。【００３３】  ところで、図１に見られる様に、電磁弁１００を構成している本体１０１には、電磁弁入口１０１ａの内側に入口側雌ネジ１０１ｘが、ドレントラップ出口１０１ｇでもある電磁弁出口１０１ｇの内側に出口側雌ネジ１０１ｙが形成されている。【００３４】  また、図４に見られる様に、ストレーナ２００は、ストレーナ本体２０１とストレーナキャップ２０２と金網２０３とＯリング２０４とガスケット２０５より構成されていて、円筒状の金網２０３はストレーナ本体２０１の内部に収納され、またストレーナキャップ２０２によって固定され、更にＯリング２０４とガスケット２０５によって密閉された状態になっている。  即ち、Ｏリング２０４は、ストレーナキャップ２０２に装着することでストレーナ本体２０１との間を密閉し、ガスケット２０５は、金網２０３とストレーナ本体２０１との間に位置させることでその間の漏れを防止しているのである。【００３５】  但し、金網２０３の形状について言えば、円筒状に限定する必要は無く、三角柱や四角柱等の多角柱であっても構わないが、少なくともストレーナ入口２０１ａに対面する一端はドレントラップ入口ドレン水５１が流入するように開放された状態になっている必要はある。【００３６】  更に、金網２０３に関して言えば、他の一端は、開放された状態でも閉じた状態（閉じたという意味は、金網を形成したものでも、板で覆ったものでも）でも構わない。  しかし、開放された状態の場合には、ストレーナキャップ２０２を取り外した際に異物がストレーナ本体２０１内部に保持されているのが絶対条件で有るのに対し、閉��た状態の場合には、ストレーナキャップ２０２を取り外した際に異物が金網２０３の内部に完全に保持された状態で取り出すことが出来るという効果が見られるのである。【００３７】  ところで、ストレーナ２００を構成しているストレーナ本体２０１は、ドレントラップ入口２０１ａでもあるストレーナ入口２０１ａと電磁弁入口１０１ａでもあるストレーナ出口１０１ａを９０度の位置関係で形成している。【００３８】  従って、ストレーナ入口２０１ａよりドレントラップ入口ドレン水５１がストレーナ本体２０１に流入すると、少なくとも一端が開放された金網２０３のその開放された一端をストレーナ入口２０１ａに対面させることによって、流入したドレン水は金網２０３を固定しているストレーナキャップ２０２で行き止まりとなり、９０度向きを変え金網２０３を経由してストレーナ出口１０１ａに至る構成となっているのである。【００３９】  この場合、ストレーナ出口１０１ａを通過したドレン水は、ドレントラップ中間ドレン水５２として示している。  尚、金網２０３は、８０メッシュであることが望ましいが、状況によっては３０〜２００メッシュのものでも構わない。【００４０】  そして、金網２０３を固定すると同時にストレーナ本体２０１を密閉する目的のストレーナキャップ２０２はＯリング２０４を伴って、ストレーナ本体２０１に螺合によって結合していて、その結合や離脱は工具のドライバーによっても構わないが１０円や１００円等の硬貨によって結合や離脱させることも可能である。【００４１】  尚、ストレーナキャップ２０２に関しては、金網２０３の外径が小さければ小さいほど結合や離脱に際しては小さい力で済むことになり、ストレーナ２００に接続する上流の配管等の径に一致させることが理想的な外径の大きさと言うことが言える。【００４２】  ところで、ストレーナ本体２０１のストレーナ出口１０１ａ外側には雄ネジ２０１ｘが形成されていて、この雄ネジ２０１ｘと電磁弁入口１０１ａ内側の入口側雌ネジ１０１ｘとを螺合によって結合したものであり、この結合によってストレーナ２００が電磁弁１００の側面に一体で小型に構成する様になっているのである。【００４３】  また、ストレーナ２００と電磁弁１００を一体に構成する手段に関しては、ストレーナ２００の雄ネジ２０１ｘと電磁弁１００の入口側雌ネジ１０１ｘに限定する必要は無く、電磁弁１００とストレーナ２００の間に継手を介して固定することや、その他の方法で構成しても構わない。【００４４】  但し、図４に於いては、ストレーナ本体２０１は、ストレーナ入口２０１ａとストレーナ出口１０１ａを９０度の位置関係にあるものを示しているが、ストレーナ入口２０１ａとストレーナ出口１０１ａ（この場合、図４とは異なった場所となる）を１８０度の直線関係の場合も考えられる。  即ち、直線関係にあるストレーナ入口２０１ａとストレーナ出口１０１ａに対しては金網２０３を斜めに（１０〜５０度の角度を持って）位置させてストレーナキャップ２０２で固定することで可能となるのである。【００４５】  従って、ここでのドレン水の流れとしては、ストレーナ入口２０１ａに流入した後、直線に対し１０〜５０度傾斜して流れた後、金網２０３を固定している���トレーナキャップ２０２で行き止まりとなり、金網２０３を経由しながら再び直線上に戻りストレーナ出口１０１ａより排出される様な流れになっているのである。【００４６】  この場合、図４に於いては、ストレーナ２００のストレーナ入口２０１ａとストレーナ出口１０１ａが９０度の位置関係にあり、図１に見られる様に、電磁弁１００の電磁弁入口１０１ａと電磁弁出口１０１ｇが１８０度の位置関係にあることで、ドレントラップ１０として見た場合には、９０度の位置関係にあると言う事が出来るが、ストレーナ２００のストレーナ入口２０１ａとストレーナ出口１０１ａが１８０度の位置関係にある場合には、電磁弁１００の電磁弁入口１０１ａと電磁弁出口１０１ｇが９０度の位置関係にあることによってドレントラップ１０として９０度の位置関係にあるということが言えるのである。【００４７】  尚、ストレーナ２００のドレントラップ入口２０１ａであるストレーナ入口２０１ａと電磁弁１００のドレントラップ出口１０１ｇである電磁弁出口１０１ｇの位置関係に関しては、９０度に限定する必要は無く、１０〜１７０度でも、より望ましくは３０〜１６０度でも構わない。  但し、直線に近い角度であれば、直線と同じ不具合をもたらす為に、９０度の位置関係に近い方が望ましいとも言える。【００４８】  本発明による、ドレン水の排出方法およびドレントラップは前述したように構成されており、以下にその動作についてその内容を説明する。【００４９】  一般に、エアータンクや、アフタークーラーや、エアークーラーや、各種のエアーフィルター・・・等には圧縮空気が流れて来るが、圧縮空気よりドレン水を発生するこれ等の機器の底部に各種の機能を持ったドレントラップ１０を設置することで、これらの機器から発生したドレン水はドレントラップ入口ドレン水５１として、先ずドレントラップ１０のストレーナ２００のドレントラップ入口２０１ａであるストレーナ入口２０１ａに流れてくる。【００５０】  この、ストレーナ２００では、図２、図４に見られる様に、ストレーナ本体２０１のストレーナ入口２０１ａからドレントラップ入口ドレン水５１を流入させ、ストレーナ本体２０１の内部に収納されている金網２０３の内部に入り込み、金網２０３を固定しているストレーナキャップ２０２に衝突することで、このドレン水は９０度向きを変えさせられる。  その後、金網２０３を経由してストレーナ本体２０１のストレーナ出口１０１ａに到達する。  その際、このドレン水が金網２０３を経由する際に金網２０３の内部に異物を残すことで金網２０３が異物を分離して保持する役目をはたしているのである。【００５１】  そして、次にストレーナ２００を通過したドレントラップ中間ドレン水５２は、更に電磁弁入口１０１ａから電磁弁１００の電磁弁本体１０１を通ってドレントラップ出口１０１ｇである電磁弁出口１０１ｇに到達して、ドレントラップ出口ドレン水５３として排出されるのである。【００５２】  そこで、このような動作を行う中で、先ず作業の開始ということで、エアーコンプレッサの作業を開始する際に、エアーコンプレッサのスイッチをＯＮの状態にすると、電磁弁１００に対する電気の供給が開始され、電磁弁１００は閉鎖の状態にな��。  その様な状況の中で、エアータンク中の圧縮空気の圧力によって、圧力スイッチが作動したり停止したりする。  同時に、エアーコンプレッサを構成しているモータや圧縮機が作動したり停止したりする。【００５３】  一方、作業が終了したということで、エアーコンプレッサのスイッチをＯＦＦの状態に切断すると、電磁弁１００に対する電気の供給が遮断され、電磁弁１００は開放の状態になり、エアータンク中の圧縮空気は、配管と電磁弁１００を通って大気中に放出され、エアータンク中の空気圧が下がることになる。  これによって、圧縮機の吐出側に設けた各機器内の空気圧は大気圧となり、作業終了後、翌日の運転開始時までは加圧されない状態になっているのである。【００５４】  従って、エアータンクを含め、その下流に接続している圧縮空気の吐出配管、更には圧縮空気の吐出配管に接続している各種のフィルターやエアークーラーやエアーモータやエアーシリンダ等の空圧機器、ドレン水排出配管、ドレン水排出配管に接続している各種機器等のうち、これ等の圧縮空気の吐出配管やドレン水排出配管や機器で使用しているＯリングやバネや継手の耐久性が一段と向上することになるのである。【００５５】  更に、エアータンクの圧縮空気が大気圧まで下がるので、翌朝一番でエアーコンプレッサのスイッチをＯＮにすると圧力スイッチを介してモータが駆動した際に、圧縮機の各摺道部の摩擦は低温のため大きいとしても、圧縮空気負荷（吸気圧と吐出圧力の差）が小さい状態においてモータが起動するのでブレーカが反応したりヒューズが切れるようなことはない。【００５６】  ところで、電磁弁１００に関してもう少し詳細に述べるならば、コイル１１０に通電すると、移動コア１０７が固定コア１０９ｒの方に磁力によって引き付けられながら上昇することで、移動コア１０７下端部の押し棒１０７ｓが弁室１０１ｄに突出していた状態から貫通穴１０１ｃに収納された状態になり、弁体１０４を押し付けて接触している状態から離間する。  そして、その結果として下部スプリング１０３の力によって弁本体１０４ｒを弁座１０１ｅに密着させることで圧力流体が電磁弁出口１０１ｇから流出するのを止めるようになるのである。【００５７】  一方、コイル１１０に対する通電を止める非通電の時には、磁力が働かなくなる。  そして、移動コア１０７と、バルブカバー１０９として一体に形成している固定コア１０９ｒの間に位置している上部スプリング１０８の力によって、移動コア１０７が下降する。更には、それによって移動コア１０７の下端部に一体に形成されている押し棒１０７ｓを下降を始め、移動コア１０７下端部の押し棒１０７ｓが弁体１０４を押し付け、その結果として弁本体１０４ｒを弁座１０１ｅから離間させて、弁室１０１ｄ内の圧力流体を弁座１０１ｅから流体通路１０１ｆを経由して電磁弁出口１０１ｇに向って流すようにしているのである。【００５８】  この事によって、電磁弁入口１０１ａからは、移動コア１０７が上下する移動コア作動空間１０１ｂと、押し棒１０７ｓとそれが貫通して上下する貫通穴１０１ｃの間と、弁体１０４が上下する弁室１０１ｄと、弁座１０１ｅと、流体通路１０１ｆを経由して、最終的に電磁弁出口１０１ｇに圧力流���が流れるようになっているのである。【００５９】  尚、ストレーナ２００を構成している金網２０３を交換したり洗浄したり内部に滞留している異物を除去する場合には、ストレーナキャップ２０２を緩めるとＯリング２０４と共に金網２０３を容易に取り外すことが可能である。  その場合、ストレーナキャップ２０２は、離脱や結合ハドライバーによっても構わないが１０円や１００円等の硬貨によっても可能である。【００６０】  従って、金網２０３の両端が開放された状態の場合には、ストレーナキャップ２０２を取り外した際に異物がストレーナ本体２０１の周囲に付着することも有るが、金網２０３の一端のみが開放された状態の場合には、ストレーナキャップ２０２を取り外した際に異物が金網２０３の内部に完全に保持された状態で取り出すことが出来るという為に異物がストレーナ本体２０１の周囲に付着しないという効果が見られるのである。
【産業上の利用可能性】
【００６１】  この発明は、ドレン水の排出方法およびドレントラップに関する技術であって、更に詳細に述べるならば、コンプレッサによって作り出された圧縮空気を貯留しているエアータンクの下部・・・等、比較的狭い場所に設置しているドレン水の排出方法およびドレントラップに関して、どの様な構造にしたら作動不良に際して容易に内部の洗浄や金網の交換が出来るか、またどの様にしたら排出するドレン水が周囲の機器を汚さないように出来るか、加えて電磁弁を通電することで流体の流れを止め、電磁弁を非通電とすることで流体を流すのに際して早い時点に不具合が発生しないような、これらの具体的な方策について述べたものであり、環境に配慮し、耐久性の向上に配慮したものである。
【図面の簡単な説明】
【００６２】
【図１】  本発明であるドレントラップの正面図
【図２】  本発明であるドレントラップの側面図
【図３】  本発明の一部である電磁弁の断面図
【図４】  本発明の一部であるストレーナの断面図
【符号の説明】
【００６３】１０・・・・・・・ドレントラップ
５１・・・・・・・ドレントラップ入口ドレン水
５２・・・・・・・ドレントラップ中間ドレン水
５３・・・・・・・ドレントラップ出口ドレン水
１００・・・・・・電磁弁
１０１・・・・・・本体
１０１ａ・・・・・電磁弁入口（ストレーナ出口）
１０１ｂ・・・・・移動コア作動空間
１０１ｃ・・・・・貫通穴
１０１ｄ・・・・・弁室
１０１ｅ・・・・・弁座
１０１ｆ・・・・・流体通路
１０１ｇ・・・・・電磁弁出口（ドレントラップ出口）
１０１ｘ・・・・・入口側雌ネジ
１０１ｙ・・・・・出口側雌ネジ
１０２・・・・・・ストッパーナット
１０３・・・・・・下部スプリング
１０４・・・・・・弁体
１０４ｒ・・・・・弁本体
１０４ｓ・・・・・弁保持部
１０５・・・・・・Ｏリング
１０６・・・・・・Ｏリング
１０７・・・・・・移動コア
１０７ｒ・・・・・移動コア本体
１０７ｓ・・・・・押し棒
１０８・・・・・・上部スプリング
１０９・・・・・・バルブカバー
１０９ｒ・・・・・固定コア
１０９ｓ・・・・・パイプ
１０９ｔ・・・・・グランドナット
１１０・・・・・・コイル
１１１・・・・・・リングコア下
１１２・・・・・・リングコア上
１１３・・・・・・ボビン
１１４・・・・・・コイルケース
１１５・・・・・・シュディングコイル
１１６・・・・・・ロックナット
２００・・・・・・ストレーナ
２０１・・・・・・ストレーナ本体
２０１ａ・・・・・ストレーナ入口（ドレントラップ入口）
２０１ｘ・・・・・雄ネジ
２０２・・・・・・ストレーナキャップ
２０３・・・・・・金網
２０４・・・・・・Ｏリング
２０５・・・・・・ガスケット
【図１】
2010071460.tif 000003
【図２】
2010071460.tif 000004
【図３】
2010071460.tif 000005
【図４】
2010071460.tif 000006